(57)【特許請求の範囲】
【請求項１】
部屋の窓を通じた昼光率を予測する昼光率予測方法であって、
前記窓からの光の進入が遮られない非遮光状態における昼光率の予測値を算出し、
前記算出した非遮光状態における昼光率の予測値に係数を乗算することで、前記窓からの光が遮光部材によって遮られる遮光状態における昼光率の予測値を算出し、
前記係数の設定に際して、
前記係数を設定するための測定用部屋の窓から近接離間する方向に沿って離れた位置に測定点を設定し、
前記測定点において、前記非遮光状態における昼光率である基準昼光率と、前記遮光状態における昼光率である対比昼光率とをそれぞれ測定し、
前記測定した基準昼光率と対比昼光率との比率を算出し、
前記係数は、
前記算出した比率に基づいて設定される、
昼光率予測方法。
【請求項２】
前記測定点を、互いに離れた位置に複数設定し、
前記基準昼光率及び前記対比昼光率を、前記各測定点ごとにそれぞれ測定し、
前記測定した基準昼光率と対比昼光率との比率を、前記各測定点ごとにそれぞれ算出し、
前記算出した比率と前記測定用部屋の窓から前記各測定点までの前記近接離間する方向に沿った距離との関係を表した近似式を算出し、
前記係数は、
前記算出した近似式に基づいて設定される、
請求項１に記載の昼光率予測方法。
【請求項３】
前記遮光部材は、
スラットを有するブラインドであり、
前記係数は、
前記スラットの角度に応じて設定される、
請求項１または請求項２に記載の昼光率予測方法。
【請求項４】
前記基準昼光率を各測定点ごとにそれぞれ複数回測定し、当該測定した各基準昼光率の前記各測定点ごとの平均値を前記基準昼光率とすると共に、
前記対比昼光率を各測定点ごとにそれぞれ複数回測定し、当該測定した各対比昼光率の前記各測定点ごとの平均値を前記対比昼光率とする、
請求項１から請求項３までのいずれか一項に記載の昼光率予測方法。
【請求項５】
前記測定用部屋は、
光反射のない内壁によって構成される、
請求項１から請求項４までのいずれか一項の昼光率予測方法。
【請求項６】
前記測定用部屋の窓は、
北側を向いた状態で配置される、
請求項１から請求項５までのいずれか一項に記載の昼光率予測方法。
【発明の詳細な説明】
【技術分野】
【０００１】
本発明は、部屋の窓を通じた昼光率を予測する昼光率予測方法に関する。
【背景技術】
【０００２】
従来、自然光による部屋の明るさを評価する指標として、昼光率が知られている。昼光率は、既存の計算式や既存の算定図を用いてその予測値が算出される。例えば、特許文献１に記載の如くである。
【０００３】
居住空間や執務空間等の部屋において、窓には、ブラインド等の遮光部材が設置される場合がある。このような前記遮光部材によって前記窓からの光が遮られる遮光状態となった部屋の昼光率は、前記既存の計算式等を用いてその予測値が算出され、当該予測値が採光シミュレーション等に用いられる場合がある。
【０００４】
しかし、前記既存の計算式や既存の算定図は、窓に遮光部材が設置されていない場合における昼光率の予測値を算出するものである。このため、特許文献１に開示される技術では、遮光部材によって遮光状態となった部屋の昼光率を正確に予測することができない可能性がある。
【先行技術文献】
【特許文献】
【０００５】
【特許文献１】特開２０１０−１５１７２８号公報
【発明の概要】
【発明が解決しようとする課題】
【０００６】
本発明は、以上の如き状況を鑑みてなされたものであり、遮光状態における昼光率の予測値を正確に算出することができる昼光率予測方法を提供するものである。
【課題を解決するための手段】
【０００７】
請求項１においては、部屋の窓を通じた昼光率を予測する昼光率予測方法であって、前記窓からの光の進入が遮られない非遮光状態における昼光率の予測値を算出し、前記算出した非遮光状態における昼光率の予測値に係数を乗算することで、前記窓からの光が遮光部材によって遮られる遮光状態における昼光率の予測値を算出し、前記係数の設定に際して、前記係数を設定するための測定用部屋の窓から近接離間する方向に沿って離れた位置に測定点を設定し、前記測定点において、前記非遮光状態における昼光率である基準昼光率と、前記遮光状態における昼光率である対比昼光率とをそれぞれ測定し、前記測定した基準昼光率と対比昼光率との比率を算出し、前記係数は、前記算出した比率に基づいて設定されるものである。
【０００８】
請求項２においては、前記測定点を、互いに離れた位置に複数設定し、前記基準昼光率及び前記対比昼光率を、前記各測定点ごとにそれぞれ測定し、前記測定した基準昼光率と対比昼光率との比率を、前記各測定点ごとにそれぞれ算出し、前記算出した比率と前記測定用部屋の窓から前記各測定点までの前記近接離間する方向に沿った距離との関係を表した近似式を算出し、前記係数は、前記算出した近似式に基づいて設定されるものである。
【０００９】
請求項３においては、前記遮光部材は、スラットを有するブラインドであり、前記係数は、前記スラットの角度に応じて設定されるものである。
【００１０】
請求項４においては、前記基準昼光率を各測定点ごとにそれぞれ複数回測定し、当該測定した各基準昼光率の前記各測定点ごとの平均値を前記基準昼光率とすると共に、前記対比昼光率を各測定点ごとにそれぞれ複数回測定し、当該測定した各対比昼光率の前記各測定点ごとの平均値を前記対比昼光率とするものである。
【００１１】
請求項５においては、前記測定用部屋は、光反射のない内壁によって構成されるものである。
【００１２】
請求項６においては、前記測定用部屋の窓は、北側を向いた状態で配置されるものである。
【発明の効果】
【００１３】
本発明の効果として、以下に示すような効果を奏する。
【００１４】
請求項１においては、遮光状態における昼光率を正確に予測することができる。
【００１５】
請求項２においては、遮光状態における昼光率をより正確に予測することができる。
【００１６】
請求項３においては、遮光状態における昼光率をより正確に予測することができる。
【００１７】
請求項４においては、遮光状態における昼光率をより正確に予測することができる。
【００１８】
請求項５においては、遮光状態における昼光率をより正確に予測することができる。
【００１９】
請求項６においては、効率的に係数を設定することができる。
【図面の簡単な説明】
【００２０】
【図１】部屋を示した図。（ａ）平面図。（ｂ）側面図。
【図２】部屋を示した正面図。
【図３】昼光率予測方法の流れを示した図。
【図４】所定位置に対応する位置から窓の上端部までの範囲の昼光率の予測値を算出する様子を示した斜視図。（ａ）所定位置と窓との位置関係を示した図。（ｂ）予測値を算出する範囲を示した図。
【図５】所定位置に対応する位置から窓の下端部までの範囲の昼光率の予測値を算出する様子を示した斜視図。（ａ）所定位置と窓との位置関係を示した図。（ｂ）予測値を算出する範囲を示した図。
【図６】非遮光状態における昼光率の予測値を算出した様子を示した斜視図。
【図７】ブラインドのスラットの角度を示した説明図。（ａ）スラットの板面が上下方向を向くような角度を示した図。（ｂ）スラットの板面が屋外に４５度傾斜するような角度を示した図。（ｃ）スラットの板面が前後方向を向くような角度を示した図。
【図８】測定用部屋を示した平面図。
【図９】係数を設定するまでの流れを示した図。
【図１０】測定点を示した平面図。
【図１１】昼光率の算出結果を示した図。
【図１２】計算値を１としたときの昼光率の割合を示した図。
【図１３】ブラインドなしのグラフを補正した状態を示した図。
【図１４】ブラインドなしを１としたときの対比昼光率の割合を示した図。
【図１５】近似式の算出結果を示した図。
【図１６】室内照度の予測値を示した図。
【発明を実施するための形態】
【００２１】
以下では、本実施形態の昼光率予測方法について説明する。
【００２２】
以下の説明においては、図中に記した矢印に従って、上下方向、左右方向、及び前後方向をそれぞれ定義する。
【００２３】
昼光率予測方法は、窓１１を通じた部屋１０の明るさを評価する指標である昼光率を予測するものである。
【００２４】
まず、部屋１０について説明する。
【００２５】
図１及び図２に示すように、部屋１０には、略直方体状の空間が形成され、前部の壁に正面視略矩形状の窓１１が設けられる。窓１１は、部屋１０の左右中央部に設けられる。本実施形態に係る部屋１０は、オフィス等の一般的な執務空間を形成するものとする。本実施形態に係る部屋１０の窓１１には、複数のスラット１２ａを有するブラインド１２が設置される。
【００２６】
昼光率予測方法においては、部屋１０の所定位置Ｐ１０での昼光率が予測される。本実施形態に係る所定位置Ｐ１０は、窓１１から後方向に所定の距離だけ離間する位置である。所定位置Ｐ１０は、部屋１０の左右中央部であり、部屋１０の床面から机の高さに相当する高さ（例えば、床面から７００ｍｍ高い位置）に位置する。所定位置Ｐ１０は、上下方向において窓１１の下方に位置する。
【００２７】
次に、昼光率予測方法によって昼光率を予測する手順について説明する。
【００２８】
まず、図３に示すように、昼光率予測方法においては、窓１１にブラインド１２を設置するかどうかが確認される（ステップＳ１０）。
【００２９】
仮に、ブラインド１２を設置しない場合、昼光率予測方法においては、以下の数式１に基づいて、ブラインド１２を設置しない場合における所定位置Ｐ１０での昼光率の予測値Ｄｄが算出される（ステップＳ１０：Ｎｏ、ステップＳ２０）。
【数１】
0006423184.tif 000002
前記数式において、πは円周率、ｘは左右方向における所定位置Ｐ１０から窓１１の左右一端部までの距離、ｙは上下方向における所定位置Ｐ１０から窓１１の上下一端部までの距離、ｚは所定位置Ｐ１０から窓１１までの前後方向に沿った距離である。上記数式１を用いることで、部屋１０の前部の壁において、所定位置Ｐ１０に対応する（正面視で重なる）位置Ｐを頂点とする矩形状の範囲の昼光率の予測値Ｄｄを算出することができる。
【００３０】
ここで、図４及び図５に示すように、本実施形態においては、位置Ｐは矩形状の窓１１の頂点に位置していない。そこで、本実施形態においては、昼光率の予測値Ｄｄの算出に際して複数の範囲の昼光率の予測値Ｄｄ１１〜Ｄｄ１４を算出し、それらに基づいて窓１１の範囲における昼光率の予測値Ｄｄ（図６参照）を算出する。
【００３１】
具体的には、図４に示すように、昼光率予測方法においては、位置Ｐから窓１１の左端部まで、かつ、位置Ｐから窓１１の上端部までの範囲（位置Ｐを右下の頂点とする範囲）の昼光率の予測値Ｄｄ１１が算出される。
また、昼光率予測方法においては、位置Ｐから窓１１の右端部まで、かつ、位置Ｐから窓１１の上端部までの範囲（位置Ｐを左下の頂点とする範囲）の昼光率の予測値Ｄｄ１２が算出される。
【００３２】
そして、図５に示すように、昼光率予測方法においては、位置Ｐから窓１１の左端部まで、かつ、位置Ｐから窓１１の下端部までの範囲（位置Ｐを右下の頂点とする範囲）の昼光率の予測値Ｄｄ１３が算出される。
また、昼光率予測方法においては、位置Ｐから窓１１の右端部まで、かつ、位置Ｐから窓１１の下端部までの範囲（位置Ｐを左下の頂点とする範囲）の昼光率の予測値Ｄｄ１４が算出される。
【００３３】
こうして、予測値Ｄｄ１１〜Ｄｄ１４が算出された後、昼光率予測方法においては、予測値Ｄｄ１１・Ｄｄ１２が合算され、当該合算結果から予測値Ｄｄ１３・Ｄｄ１４が減算されることで、窓１１の範囲における昼光率の予測値Ｄｄ（図６参照）が算出されることとなる。
【００３４】
より詳細には、図４に示すように、前記昼光率の予測値Ｄｄ１１を算出するとき、前記数式１の変数ｘには、位置Ｐから窓１１の左端部までの左右方向に沿った距離ｘ１（正面視における所定位置Ｐ１０から窓１１の左端部までの距離）が代入される。また、前記数式１の変数ｙには、前記位置Ｐから窓１１の上端部までの上下方向に沿った距離ｙ１（正面視における所定位置Ｐ１０から窓１１の上端部までの距離）が代入される。そして、前記数式１の変数ｚには、前記位置Ｐから所定位置Ｐ１０までの前後方向に沿った距離ｚ（平面視における所定位置Ｐ１０から窓１１までの距離）が代入される。
こうして、昼光率予測方法においては、前記昼光率の予測値Ｄｄ１１が算出される。
【００３５】
また、昼光率予測方法においては、前記昼光率の予測値Ｄｄ１１の算出と同じ要領で、前記昼光率の予測値Ｄｄ１２が算出される。
【００３６】
そして、図５に示すように、前記昼光率の予測値Ｄｄ１３を算出するとき、前記数式１の変数ｙには、前記位置Ｐから窓１１の下端部までの上下方向に沿った距離ｙ２が代入される。また、前記数式１の変数ｘ・ｚには、前記昼光率の予測値Ｄｄ１の算出時に代入した値と同じ値が代入される。
こうして、昼光率予測方法においては、前記昼光率の予測値Ｄｄ１３が算出される。
【００３７】
また、昼光率予測方法においては、前記昼光率の予測値Ｄｄ１３の算出と同じ要領で、前記昼光率の予測値Ｄｄ１４が算出される。
【００３８】
前記昼光率の予測値Ｄｄ１１〜Ｄｄ１４が算出された後で、昼光率予測方法においては、前記昼光率の予測値Ｄｄ１１・Ｄｄ１２が合算されると共に、当該合算結果から前記昼光率の予測値Ｄｄ１３・Ｄｄ１４が減算される。こうして、図６に示すように、昼光率予測方法においては、窓１１にブラインド１２を設置しない場合、すなわち、窓１１からの光が遮られない非遮光状態における所定位置Ｐ１０での昼光率の予測値Ｄｄが算出される。
【００３９】
一方、図７に示すように、窓１１にブラインド１２を設置する場合、部屋１０は、窓１１からの光がブラインド１２によって遮られた遮光状態となる。このため、ステップＳ２０で算出した非遮光状態における所定位置Ｐ１０での昼光率の予測値Ｄｄは、遮光状態における実際の昼光率よりも高いものとなる。そこで、昼光率予測方法においては、以下のようにして遮光状態における所定位置Ｐ１０での昼光率の予測値Ｄｄ１〜Ｄｄ３が算出される。
【００４０】
なお、説明の便宜上、図７において、ブラインド１２は、スラット１２ａのみを記載し、スラット１２ａが取り付けられる紐等の記載を省略している。
【００４１】
まず、図３及び図７に示すように、昼光率予測方法においては、ブラインド１２のスラット１２ａの角度が確認される（ステップＳ３０）。
【００４２】
仮に、図７（ａ）に示すようなスラット１２ａの板面が上下方向を向くような角度（以下、「水平角度」と表記する）である場合、昼光率予測方法においては、ステップＳ２０と同じ要領で非遮光状態における所定位置Ｐ１０での昼光率の予測値Ｄｄが算出される。そして、昼光率予測方法においては、算出した非遮光状態における所定位置Ｐ１０での昼光率の予測値Ｄｄと、係数ｔ１（０．０６０４ｚ＋０．２６４３）とが乗算される（ステップＳ３０：水平角度、ステップＳ４０）。
【００４３】
なお、前記係数ｔ１内の変数ｚは、所定位置Ｐ１０から窓１１までの前後方向に沿った距離（ｍ）である（図４に示す距離ｚ参照）。また、前記係数ｔ１内の変数ｚは、１以上の値である。
係数ｔ１は、窓１１までの前後方向に沿った距離ｚが短くなるにつれて、その値が小さくなる。
【００４４】
すなわち、昼光率予測方法においては、係数ｔ１が用いられることで、窓１１までの前後方向に沿った距離ｚが短くなるにつれて非遮光状態における所定位置Ｐ１０での昼光率の予測値Ｄｄがより小さくなるように、非遮光状態における昼光率の予測値Ｄｄが補正される。
【００４５】
これによれば、昼光率予測方法においては、スラット１２ａの角度が水平角度である場合において、昼光率の予測値Ｄｄ１を実際の昼光率に近づけることができる。なお、係数ｔ１を設定する手順についての詳細な説明は後述する。
【００４６】
仮に、図７（ｂ）に示すようなスラット１２ａが水平角度から屋外に４５度傾斜するような角度（以下、「４５度」と表記する）である場合、所定位置Ｐ１０での実際の昼光率は、スラット１２ａの角度が水平角度である場合の実際の昼光率よりも低くなる。
【００４７】
そこで、昼光率予測方法においては、スラット１２ａの角度が４５度である場合、ステップＳ２０と同じ要領で非遮光状態における所定位置Ｐ１０での昼光率の予測値Ｄｄが算出され、当該算出結果と、係数ｔ１よりも小さな係数ｔ２（０．０７５１ｚ−０．０１７４）とが乗算される（ステップＳ３０：４５度、ステップＳ５０）。
【００４８】
なお、前記係数ｔ２内の変数ｚは、所定位置Ｐ１０から窓１１までの前後方向に沿った距離（ｍ）である。また、前記係数ｔ２内の変数ｚは、１以上の値である。
係数ｔ２は、窓１１までの前後方向に沿った距離ｚが短くなるにつれて、その値が小さくなる。
【００４９】
昼光率予測方法においては、係数ｔ２が用いられることで、スラット１２ａの角度が４５度である場合における所定位置Ｐ１０での昼光率の予測値Ｄｄ２が、スラット１２ａの角度が水平角度である場合における所定位置Ｐ１０での昼光率の予測値Ｄｄ１よりも低くなる。
【００５０】
これによれば、昼光率予測方法においては、スラット１２ａの角度が４５度である場合において、所定位置Ｐ１０での昼光率の予測値Ｄｄ２を実際の昼光率に近づけることができる。なお、係数ｔ２を設定する手順についての詳細な説明は後述する。
【００５１】
図７（ｃ）に示すようなスラット１２ａの板面が前後方向を向くような角度（以下、「全閉角度」と表記する）である場合、所定位置Ｐ１０での実際の昼光率は、スラット１２ａの角度が４５度である場合の実際の昼光率よりも低くなる。
【００５２】
そこで、昼光率予測方法においては、スラット１２ａの角度が全閉角度である場合、ステップＳ２０と同じ要領で非遮光状態における昼光率の予測値Ｄｄが算出され、当該算出結果と、係数ｔ２よりも小さな係数ｔ３（０．０２０６ｚ−０．０２０６）とが乗算される（ステップＳ３０：全閉角度、ステップＳ６０）。
【００５３】
なお、前記係数ｔ３内の変数ｚは、所定位置Ｐ１０から窓１１までの前後方向に沿った距離（ｍ）である。また、前記係数ｔ３内の変数ｚは、１以上の値である。
係数ｔ３は、窓１１までの前後方向に沿った距離ｚが短くなるにつれて、その値が小さくなる。
【００５４】
昼光率予測方法においては、係数ｔ３が用いられることで、スラット１２ａの角度が全閉角度である場合における所定位置Ｐ１０での昼光率の予測値Ｄｄ３が、スラット１２ａの角度が４５度である場合における所定位置Ｐ１０での昼光率の予測値Ｄｄ２よりも低くなる。
【００５５】
これによれば、昼光率予測方法においては、スラット１２ａの角度が全閉角度である場合において、所定位置Ｐ１０での昼光率の予測値Ｄｄ３を実際の昼光率に近づけることができる。なお、係数ｔ３を設定する手順についての詳細な説明は後述する。
【００５６】
以上のように、昼光率予測方法においては、スラット１２ａの角度に応じて異なる係数ｔ１〜ｔ３が用いられて、遮光状態における昼光率の予測値Ｄｄ１〜Ｄｄ３が算出される。これによれば、昼光率予測方法においては、非遮光状態における昼光率の予測値Ｄｄに対するスラット１２ａの角度に応じた昼光率の変動度合いを考慮して、昼光率の予測値Ｄｄ１〜Ｄｄ３を算出することができる。このため、昼光率予測方法においては、遮光状態における所定位置Ｐ１０での昼光率を、正確に予測することができる。
【００５７】
次に、係数ｔ１〜ｔ３を設定する手順について説明する。
【００５８】
本実施形態において、係数ｔ１〜ｔ３は、図８に示すような測定用部屋２０で行われる測定の結果に基づいて設定される。
【００５９】
まず、図８を参照して測定用部屋２０について説明する。
【００６０】
測定用部屋２０には、測定用部屋２０を左右に区画する仕切り２０ａが設けられる。測定用部屋２０には、仕切り２０ａの左側及び右側にそれぞれ正面視略矩形状の窓２１が設けられる。測定用部屋２０の左側の窓２１には、ブラインド２２としてプリーツスクリーンが設置される。測定用部屋２０の右側の窓２１には、ブラインド２３としてベネシャンブラインドが設置される。測定用部屋２０の仕切り２０ａ及び内壁２０ｂは、光反射がない黒色の仕切り及び壁によって構成される。測定用部屋２０の窓２１は、北側を向いた状態で配置される。
【００６１】
次に、測定の内容について説明する。
【００６２】
図９及び図１０に示すように、昼光率予測方法においては、測定用部屋２０に室内照度を測定するための複数の測定点Ｐ２１〜Ｐ２５・Ｐ３１〜Ｐ３５が設定される（ステップＳ１１０）。
【００６３】
測定点Ｐ２１〜Ｐ２５は、仕切り２０ａで区画された測定用部屋２０の左側に位置する。測定点Ｐ３１〜Ｐ３５は、仕切り２０ａで区画された測定用部屋２０の右側に位置する。各測定点Ｐ２１〜Ｐ２５・Ｐ３１〜Ｐ３５は、測定用部屋２０の床面から７００ｍｍの高さに位置する。
各測定点Ｐ２１〜Ｐ２５・Ｐ３１〜Ｐ３５は、測定用部屋２０の左側及び右側において、窓２１から後方向（離間する方向）に１ｍ間隔で並んでいる。すなわち、測定点Ｐ２１・Ｐ３１、測定点Ｐ２２・Ｐ３２、測定点Ｐ２３・Ｐ３３、測定点Ｐ２４・Ｐ３４、及び測定点Ｐ２５・Ｐ３５は、それぞれ窓２１から同じ距離だけ離れている。このような各測定点Ｐ２１〜Ｐ２５・Ｐ３１〜Ｐ３５には、例えば、照度計等が配置される。
【００６４】
図９及び図１１に示すように、各測定点Ｐ２１〜Ｐ２５・Ｐ３１〜Ｐ３５が設定された後で、昼光率予測方法においては、各測定点Ｐ２１〜Ｐ２５・Ｐ３１〜Ｐ３５ごとに基準昼光率及び対比昼光率が測定される（ステップＳ１２０）。
【００６５】
基準昼光率は、窓２１にブラインド２２・２３を設置しない場合、すなわち、窓２１からの光の進入が遮られない非遮光状態における実際の昼光率である。
対比昼光率は、窓２１にブラインド２２・２３を設置した場合、すなわち、窓２１からの光の進入がブラインド２２・２３によって遮られた遮光状態における実際の昼光率である。
【００６６】
昼光率予測方法においては、各測定点Ｐ２１〜Ｐ２５・Ｐ３１〜Ｐ３５での室内照度の測定結果から、屋外（窓２１の前方）に設置される所定の照度計の測定結果が除算されることで、基準昼光率及び対比昼光率が測定される。
【００６７】
昼光率予測方法においては、対比昼光率が測定されるときに、ブラインド２２・２３のスラットの角度が変更され、スラットの角度ごとに対比昼光率が測定される。本実施形態に係る昼光率予測方法においては、ブラインド２２・２３のスラットの角度が水平角度、４５度、及び全閉角度に変更されたときの対比昼光率がそれぞれ測定される。
【００６８】
なお、図１１においては、ブラインドなしのグラフが基準昼光率のグラフに対応している。また、図１１においては、水平角度、４５度、及び全閉角度のグラフが対比昼光率のグラフに対応している。
【００６９】
図１１における計算値のグラフは、各測定点Ｐ２１〜Ｐ２５・Ｐ３１〜Ｐ３５ごとに、前記数式１を用いて算出した場合（非遮光状態）における昼光率の予測値Ｄｄを示すものである。
基準昼光率のグラフは、計算値（前記数式１）のグラフに近いグラフとなる。また、対比昼光率のグラフは、計算値（前記数式１）のグラフよりも全体的に昼光率が低いグラフとなり、また、スラットの角度が水平角度から全閉角度になるにつれて全体的に昼光率が低いグラフとなる。
【００７０】
昼光率予測方法においては、屋外が曇天空と判断できるときの各測定点Ｐ２１〜Ｐ２５・Ｐ３１〜Ｐ３５での室内照度の測定結果が用いられて基準昼光率及び対比昼光率が測定される。より詳細には、昼光率予測方法においては、室外照度の測定結果が確認され、曇天空に相当する照度となったときと同時刻の各測定点Ｐ２１〜Ｐ２５・Ｐ３１〜Ｐ３５での室内照度だけが抽出され、当該抽出結果に基づいて基準昼光率及び対比昼光率が測定される。
【００７１】
また、本実施形態に係る昼光率予測方法においては、基準昼光率及び対比昼光率がそれぞれ複数回測定される。そして、昼光率予測方法においては、基準昼光率及び対比昼光率の平均値がそれぞれ算出され、当該算出された基準昼光率及び対比昼光率の平均値が基準昼光率及び対比昼光率の測定結果となっている。
【００７２】
このとき、昼光率予測方法においては、各測定点Ｐ２１〜Ｐ２５・Ｐ３１〜Ｐ３５ごと、かつ、ブラインド２２・２３のスラットの角度ごとに基準昼光率及び対比昼光率の測定結果の平均値が算出される。
【００７３】
本実施形態に係る昼光率予測方法においては、左右両側の窓２１のブラインド２２・２３のスラットの角度をそれぞれ同じ角度（例えば、水平角度）に変更して対比昼光率が測定される。こうして、昼光率予測方法においては、種類が異なるブラインド２２・２３の対比昼光率の測定が同じ照度環境で同時に行われる。そして、昼光率予測方法においては、ブラインド２２・２３が用いられて得られた対比昼光率の平均値が算出され、当該算出結果が対比昼光率となっている。
こうして、昼光率予測方法においては、信頼性の高い対比昼光率が測定されることとなる。
【００７４】
図９に示すように、基準昼光率及び対比昼光率が測定された後で、昼光率予測方法においては、基準昼光率と対比昼光率との比率が算出される（ステップＳ１３０）。基準昼光率と対比昼光率との比率は、基準昼光率を１とした、対比昼光率の基準昼光率に対する割合を表すものである。昼光率予測方法においては、各測定点Ｐ２１〜Ｐ２５・Ｐ３１〜Ｐ３５ごと、かつ、ブラインド２２・２３のスラットの角度ごとに前記比率が算出される。
【００７５】
本実施形態に係る昼光率予測方法においては、計算値（前記数式１）のグラフに基づいて補正された基準昼光率及び対比昼光率の比率が算出される。具体的には、図１２に示すように、昼光率予測方法においては、まず、計算値（前記数式１）のグラフを１とした、基準昼光率及び対比昼光率の前記数式１に対する割合が算出される。
【００７６】
そして、図１３に示すように、昼光率予測方法においては、窓２１から各測定点Ｐ２１〜Ｐ２５・Ｐ３１〜Ｐ３５までの距離（図４に示す距離ｚ参照）を変数とする一次の多項式で、基準昼光率の比率（図１３におけるブラインドなしのグラフ）が近似される。こうして、昼光率予測方法においては、計算値（前記数式１）のグラフに対する基準昼光率の誤差が定量化される（近似式Ｌが算出される）。
【００７７】
その後、図１３及び図１４に示すように、昼光率予測方法においては、前記誤差が各測定点Ｐ２１〜Ｐ２５・Ｐ３１〜Ｐ３５ごとに補正される。より詳細には、昼光率予測方法においては、前記近似式Ｌが常に比率１となるような係数（すなわち、前記近似式Ｌ上の値の逆数）が算出され、前記係数が前記近似式Ｌに乗算される（図１３に示す矢印参照）。
こうして、昼光率予測方法においては、基準昼光率が常に比率１（計算値（前記数式１）のグラフと同じグラフ）となるように補正される。
【００７８】
また、昼光率予測方法においては、前記係数と対比昼光率とが乗算されて、対比昼光率が、各測定点Ｐ２１〜Ｐ２５・Ｐ３１〜Ｐ３５ごと、かつ、ブラインド２２・２３のスラットの角度ごとに補正される。
【００７９】
これにより、昼光率予測方法においては、図１４に示す対比昼光率のグラフが、基準昼光率を１とした対比昼光率の基準昼光率に対する割合を表すもの、すなわち、比率のグラフとなるようにしている。こうして、昼光率予測方法においては、比率が算出される。
【００８０】
このような比率は、基準昼光率を基準とした遮光状態における昼光率の変動度合いを、各測定点Ｐ２１〜Ｐ２５・Ｐ３１〜Ｐ３５ごと、かつ、ブラインド２２・２３のスラットの角度ごとに表すものである。
例えば、比率が０．４である場合には、遮光状態における昼光率がブラインド２２・２３によって基準昼光率の４０％程度まで低下したことを表すものとなる。
【００８１】
比率は、全て１より小さい値となり、窓２１から各測定点Ｐ２１〜Ｐ２５・Ｐ３１〜Ｐ３５までの距離が短くなるにつれて低くなる。すなわち、窓２１から各測定点Ｐ２１〜Ｐ２５・Ｐ３１〜Ｐ３５までの距離が短いほど比率が１から離れた値となり、基準昼光率を基準とした遮光状態におけるブラインド２２・２３による昼光率の変動度合いは大きくなる。
【００８２】
図９及び図１５に示すように、比率が算出された後で、昼光率予測方法においては、窓２１から各測定点Ｐ２１〜Ｐ２５・Ｐ３１〜Ｐ３５までの距離（図４に示す距離ｚ参照）を変数とする一次の多項式で比率が近似される（ステップＳ１４０）。
【００８３】
これにより、昼光率予測方法においては、基準昼光率を基準とした遮光状態における昼光率の変動度合いが、スラットの角度ごとに定量化される（近似式Ｌ１〜Ｌ３が算出される）。
【００８４】
近似式Ｌ１〜Ｌ３が算出された後で、昼光率予測方法においては、近似式Ｌ１〜Ｌ３の相関係数が算出され、当該算出した相関係数に基づいて相関の強さが確認される（ステップＳ１５０）。
【００８５】
仮に、相関が弱い（例えば、相関係数が０．７よりも小さい）場合、昼光率予測方法においては、ステップＳ１２０に戻って基準昼光率及び対比昼光率の測定が行われる（ステップＳ１５０：Ｎｏ）。
【００８６】
一方、相関が強い（例えば、相関係数が０．７以上である）場合、昼光率予測方法においては、算出した近似式Ｌ１〜Ｌ３に基づいて係数ｔ１〜ｔ３が設定される（ステップＳ１５０：Ｙｅｓ、ステップＳ１６０）。より詳細には、昼光率予測方法においては、ブラインド２２・２３のスラットの角度に応じて算出した近似式Ｌ１〜Ｌ３が、スラットの角度に応じた係数ｔ１〜ｔ３としてそれぞれ設定される。
【００８７】
すなわち、昼光率予測方法においては、ブラインド２２・２３のスラットの角度が水平角度である場合における対比昼光率により算出された近似式Ｌ１が、係数ｔ１として設定される。
また、昼光率予測方法においては、ブラインド２２・２３のスラットの角度が４５度である場合における対比昼光率により算出された近似式Ｌ２が、係数ｔ２として設定される。
そして、昼光率予測方法においては、ブラインド２２・２３のスラットの角度が全閉角度である場合における対比昼光率により算出された近似式Ｌ３が、係数ｔ３として設定される。
【００８８】
これによれば、昼光率予測方法においては、実測値に基づいて定量化された基準昼光率を基準とした遮光状態における昼光率の変動度合いが、係数ｔ１〜ｔ３として設定されることとなる。昼光率予測方法においては、このような係数ｔ１〜ｔ３が用いられて遮光状態における昼光率の予測値Ｄｄ１〜Ｄｄ３が算出されることとなる。これにより、昼光率予測方法においては、遮光状態における昼光率を正確に予測することができる。
【００８９】
昼光率予測方法により予測される昼光率は、例えば、図１６に示すような屋外照度が所定の照度である場合における部屋１０の室内照度の算出や採光シミュレーション等に用いられる。
昼光率予測方法よって遮光状態における昼光率を正確に予測できるため、採光シミュレーション等においては、遮光状態における部屋１０の採光状況を評価することが可能となる。こうして、昼光率予測方法においては、採光シミュレーション等における汎用性を向上させることができる。
【００９０】
また、昼光率予測方法においては、スラットの角度に応じて係数ｔ１〜ｔ３が設定されることで、ブラインド１２の使用条件に応じてより正確に昼光率を予測することができる。このため、昼光率予測方法においては、採光シミュレーション等における汎用性をより向上させることができる。
【００９１】
前述したように、本実施形態に係る昼光率予測方法においては、ステップＳ１２０で基準昼光率及び対比昼光率が複数回測定され、各測定点Ｐ２１〜Ｐ２５・Ｐ３１〜Ｐ３５ごと、かつ、スラットの角度ごとに算出された平均値が基準昼光率及び対比昼光率とされている。これにより、昼光率予測方法においては、ステップＳ１２０において基準昼光率及び対比昼光率がより正確に測定されることとなる。
【００９２】
このため、昼光率予測方法においては、信頼性の高い基準昼光率及び対比昼光率の測定結果から係数ｔ１〜ｔ３が設定されることとなり、より正確にスラット１２ａの角度に応じた昼光率の予測値Ｄｄ１〜Ｄｄ３が算出されることとなる。このため、昼光率予測方法においては、より正確に遮光状態における昼光率を予測することができる。
【００９３】
昼光率予測方法においては、黒色の仕切り２０ａ及び内壁２０ｂによって構成される測定用部屋２０で、各測定点Ｐ２１〜Ｐ２５・Ｐ３１〜Ｐ３５での基準昼光率及び対比昼光率が測定されている。これにより、昼光率予測方法においては、仕切り２０ａ及び内壁２０ｂでの光の反射を防止でき、ステップＳ１２０において基準昼光率及び対比昼光率がより正確に測定されることとなる。
【００９４】
このため、昼光率予測方法においては、信頼性の高い基準昼光率及び対比昼光率の測定結果から係数ｔ１〜ｔ３が設定されることとなり、より正確にスラット１２ａの角度に応じた昼光率の予測値Ｄｄ１〜Ｄｄ３が算出されることとなる。このため、昼光率予測方法においては、より正確に遮光状態における昼光率を予測することができる。
【００９５】
さらに、昼光率予測方法においては、北側を向いた窓２１が設けられる測定用部屋２０の各測定点Ｐ２１〜Ｐ２５・Ｐ３１〜Ｐ３５で室内照度が測定されることで、窓２１から入射する直射日光の影響を低減することができる。
昼光率とは直射日光を除いた昼光の指標であるところ、窓２１を北側に向けることにより、室内照度環境に大きな影響を与える直射日光の影響を回避することができ、ひいては昼光率予測方法において、基準昼光率及び対比昼光率をより正確に予測することができる。
【００９６】
また、測定用部屋２０は、暗くなりやすい環境で測定を行うことができるため、南側を向いた窓が設けられる部屋の屋外では曇天空に相当する照度とならない程度に明るい場合でも、測定用部屋２０の屋外が曇天空に相当する照度となる場合がある。このため、昼光率予測方法においては、より長い時間基準昼光率及び対比昼光率が測定されることとなる。これによれば、昼光率予測方法においては、効率的に（短時間で）係数ｔ１〜ｔ３が設定されることとなる。
【００９７】
このように、昼光率予測方法は、部屋１０の窓１１を通じた昼光率を予測する昼光率予測方法であって、前記窓１１からの光の進入が遮られない非遮光状態における昼光率の予測値Ｄｄを算出し、前記算出した非遮光状態における昼光率の予測値Ｄｄに係数ｔ１〜ｔ３を乗算することで、前記窓１１からの光が遮光部材によって遮られる遮光状態における昼光率の予測値Ｄｄ１〜Ｄｄ３を算出するものである。
【００９８】
このように構成することにより、遮光状態における昼光率を正確に予測することができる。
【００９９】
前記遮光部材は、スラット１２ａを有するブラインド１２であり、前記係数ｔ１〜ｔ３は、前記スラット１２ａの角度に応じて設定されるものである。
【０１００】
このように構成することにより、遮光状態における昼光率をより正確に予測することができる。
【０１０１】
前記係数ｔ１〜ｔ３の設定に際して、前記係数ｔ１〜ｔ３を設定するための測定用部屋２０の窓２１から近接離間する方向に沿って互いに離れた位置に複数の測定点Ｐ２１〜Ｐ２５・Ｐ３１〜Ｐ３５を設定し、前記各測定点Ｐ２１〜Ｐ２５・Ｐ３１〜Ｐ３５ごとに、前記非遮光状態における昼光率である基準昼光率と、前記遮光状態における昼光率である対比昼光率とをそれぞれ測定し、前記測定した基準昼光率と対比昼光率との比率を、前記各測定点Ｐ２１〜Ｐ２５・Ｐ３１〜Ｐ３５ごとにそれぞれ算出し、前記算出した比率と前記測定用部屋２０の窓２１から前記各測定点Ｐ２１〜Ｐ２５・Ｐ３１〜Ｐ３５までの前記近接離間する方向に沿った距離との関係を表した近似式Ｌ１〜Ｌ３を算出し、前記係数ｔ１〜ｔ３は、前記算出した近似式Ｌ１〜Ｌ３に基づいて設定されるものである。
【０１０２】
このように構成することにより、遮光状態における昼光率をより正確に予測することができる。
【０１０３】
前記基準昼光率を各測定点Ｐ２１〜Ｐ２５・Ｐ３１〜Ｐ３５ごとにそれぞれ複数回測定し、当該測定した各基準昼光率の前記各測定点Ｐ２１〜Ｐ２５・Ｐ３１〜Ｐ３５ごとの平均値を前記基準昼光率とすると共に、前記対比昼光率を各測定点Ｐ２１〜Ｐ２５・Ｐ３１〜Ｐ３５ごとにそれぞれ複数回測定し、当該測定した各対比昼光率の前記各測定点Ｐ２１〜Ｐ２５・Ｐ３１〜Ｐ３５ごとの平均値を前記対比昼光率とするものである。
【０１０４】
このように構成することにより、遮光状態における昼光率をより正確に予測することができる。
【０１０５】
前記測定用部屋２０は、光反射のない内壁２０ｂによって構成されるものである。
【０１０６】
このように構成することにより、遮光状態における昼光率をより正確に予測することができる。
【０１０７】
前記測定用部屋２０の窓２１は、北側を向いた状態で配置されるものである。
【０１０８】
このように構成することにより、効率的に係数ｔ１〜ｔ３を設定することができる。
【０１０９】
以上のように、本実施形態に係るブラインド１２は、本発明に係る遮光部材である。
【０１１０】
本実施形態に係る前後方法は、窓１１に対して近接離間する方向に相当する。
【０１１１】
なお、測定点は、窓から１ｍ間隔で並べられる必要はなく、例えば、２ｍ間隔で並べられていても構わない。また、測定点を設定する数は、本実施形態に限定される必要はなく、窓からの前後方向に沿った距離が互いに異なる測定点が３つ以上あればよい。測定点の高さは、７００ｍｍである必要はない。測定点は、窓の近傍（すなわち、０ｍ）に設定しても構わない。測定点は、窓から同じ距離だけ離れた位置に複数設定する必要はない。
【０１１２】
昼光率予測方法においては、仕切り２０ａ等を設けることなく、一つの窓と一つのブラインドとが用いられて、基準昼光率及び対比昼光率が測定されても構わない。また、三つ以上の窓と三つ以上のブラインドとが用いられて、同時に複数の基準昼光率及び対比昼光率を測定が測定されても構わない。昼光率予測方法においては、信頼性の高い対比昼光率を測定できることから、本実施形態のように複数の窓にそれぞれブラインドが設置されて基準昼光率及び対比昼光率が測定されることが好ましい。
【０１１３】
非遮光状態における昼光率の予測値Ｄｄは、前記数式１を用いて算出する必要はなく、例えば、既存の算定図を用いて算出しても構わない。
【０１１４】
昼光率予測方法においては、基準昼光率及び対比昼光率が補正されることなく比率が算出されても構わない。この場合、昼光率予測方法においては、例えば、単に対比昼光率から基準昼光率を除算した結果が比率として算出される。
【０１１５】
測定用部屋２０の仕切り２０ａ及び内壁２０ｂは、光反射のない壁面であれば、本実施形態のような黒色でなくても構わない。
【０１１６】
測定用部屋２０の窓２１は、北側を向いた状態で配置される必要はなく、例えば、東側を向いた状態で配置されていても構わない。
【０１１７】
測定用部屋２０の周辺環境は、屋外の近傍に建物等の遮蔽物がない、十分に開放された環境であることが好ましい。
【０１１８】
昼光率予測方法においては、昼光率を予測する部屋や模型に設けられる部屋等で測定が行われても構わない。
【０１１９】
昼光率予測方法で昼光率を予測する部屋１０は、執務空間に限定されるものでなく、例えば、居住空間等を形成するものであっても構わない。
【符号の説明】
【０１２０】
１０            部屋
１１            窓
１２            ブラインド
Ｄｄ            非遮光状態における昼光率の予測値
Ｄｄ１〜Ｄｄ３  遮光状態における昼光率の予測値
ｔ１〜ｔ３      係数
【図１】
0006423184.tif 000003
【図２】
0006423184.tif 000004
【図３】
0006423184.tif 000005
【図４】
0006423184.tif 000006
【図５】
0006423184.tif 000007
【図６】
0006423184.tif 000008
【図７】
0006423184.tif 000009
【図８】
0006423184.tif 000010
【図９】
0006423184.tif 000011
【図１０】
0006423184.tif 000012
【図１１】
0006423184.tif 000013
【図１２】
0006423184.tif 000014
【図１３】
0006423184.tif 000015
【図１４】
0006423184.tif 000016
【図１５】
0006423184.tif 000017
【図１６】
0006423184.tif 000018